(57)【要約】【課題】腕時計型端末装置からブルートゥース機能を搭載した携帯電話のカメラを操作する。【解決手段】携帯電話ＡＧ１のカメラが起動され、リモートシャッター機能が起動されると、ＡＧ１から腕時計型端末装置ＢＴＷ２にリモートシャッターモードを開始するコマンド「+BTWRMS:1」がブルートゥースを介して送信される。該コマンドを受信したＢＴＷ２ではリモートシャッターモードが開始され、表示部２３にモニター画像が表示される。シャッターボタンとして動作する操作ボタンを押下するとＡＴコマンド「AT+BTWSHUT」がＡＧ１に送られる。これによりＡＧ１のカメラで撮影が行われ、ＢＴＷ２に結果「ＯＫ」が返される。ＡＧ１のカメラモードを終了すると、リモートシャッターモードを終了するコマンド「+BTWRMS:0」がＢＴＷ２に送られ、ＢＴＷ２のリモートシャッターモードは終了される。【選択図】図４
2009118474.tif 000002
【特許請求の範囲】
【請求項１】
携帯電話装置と腕時計型端末装置とからなるシステムであって、
前記携帯電話装置は、第１の制御部と、前記腕時計型端末装置と通信できる第１の近距離無線通信部と、カメラとを有し、
前記第１の制御部は、
前記カメラによる撮影モードが起動された後に、前記カメラを外部から受信されたコマンドにより制御するリモートシャッター機能が起動されたときに、前記腕時計型端末装置に対して、リモートシャッターモードを開始させるコマンドを前記第１の近距離無線通信部を介して送信する機能と、
前記リモートシャッター機能が起動されている場合に、前記腕時計型端末装置から前記第１の近距離無線通信部を介してモニター画像の取得を要求するコマンドを受信したときに、前記カメラに撮像されている画像データを前記腕時計型端末装置に送信する機能と、
前記リモートシャッター機能が起動されている場合に、前記腕時計型端末装置から前記第１の近距離無線通信部を介してシャッターの押下を指示するコマンドを受信したときに、前記カメラによる撮影を実行させる機能と、
前記カメラによる撮影モードが終了されたときに、前記腕時計型端末装置に対して、リモートシャッターモードを終了させるコマンドを前記第１の近距離無線通信部を介して送信する機能を有するものであり、
前記腕時計型端末装置は、第２の制御部と、前記携帯電話装置と通信できる第２の近距離無線通信部と、時計回路と、表示部と、操作ボタンとを有し、
前記第２の制御部は、
前記携帯電話装置から、前記第２の近距離無線通信部を介して前記リモートシャッターモードを開始させるコマンドを受信したときに、リモートシャッターモードを開始させる機能と、
リモートシャッターモードにおいて、前記第２の近距離無線通信部を介して前記携帯電話装置に対しモニター画像の取得を要求するコマンドを送信する機能と、
前記モニター画像の取得を要求するコマンドに応じて前記携帯電話装置から受信した画像データを前記表示部に表示する機能と、
リモートシャッターモードにおいて、所定の操作ボタンの操作に応じて、前記携帯電話装置に対してシャッターの押下を指示するコマンドを前記第２の近距離無線通信部を介して送信する機能と、
前記携帯電話装置から、前記第２の近距離無線通信部を介して前記リモートシャッターモードを終了させるコマンドを受信したときに、リモートシャッターモードを終了させる機能とを有するものである
ことを特徴とするシステム。
【請求項２】
前記腕時計型端末装置の前記第２の制御部は、前記リモートシャッターモードにおいて、前記操作ボタンが操作されない状態が所定時間継続したときに、前記リモートシャッターモードを終了させる機能を有することを特徴する請求項１記載のシステム。
【請求項３】
前記請求項１又は２に記載のシステムにおける携帯電話装置。
【請求項４】
前記請求項１又は２に記載のシステムにおける腕時計型端末装置。
【発明の詳細な説明】
【技術分野】
【０００１】
本発明は、ブルートゥースなどの近距離無線通信機能を備えたカメラ付き携帯電話装置とブルートゥースなどの近距離無線通信機能を備えた腕時計型端末装置からなるシステム、携帯電話装置及び腕時計型端末装置に関する。
【背景技術】
【０００２】
携帯電話と腕時計をブルートゥース（Bluetooth（登録商標））で接続するための規格が提案されている（非特許文献１）。
この規格は、ブルートゥースのハンズフリープロファイル（ＨＦＰ：Hands Free Profile）の追加・拡張仕様であり、（１）携帯電話（ＡＧ）への着信を通知する電話着信お知らせ機能、（２）携帯電話へのメールの着信を通知するメール着信お知らせ機能、（３）腕時計（ＢＴＷ）の操作により携帯電話の報音モードのオン・オフの切り替えを行うワンタッチサイレントモード機能、（４）携帯電話と腕時計との距離が離れ、腕時計と携帯電話とのリンクが切断したときにそのことをバイブレーションや表示で知らせるリンク切断お知らせ機能、及び、（５）携帯電話側の正確な時刻を腕時計に転送し時刻合わせを行う時刻合わせ機能の５個の基本アプリケーションについて規定されている。
【０００３】
また、カメラ付き携帯電話をリモコン装置で遠隔操作することが提案されている（特許文献１）。
さらに、デジタルカメラに腕時計型端末装置から無線で信号を送ることによりタイマー撮影を行うことも提案されている（特許文献２）。
さらにまた、ブルートゥースの基本画像プロファイル（ＢＩＰ：Basic Image Profile）には、デジタルカメラのシャッター操作をブルートゥースを用いて遠隔操作する機能が規定されている（非特許文献２）。
【特許文献１】特開２００２−５０９９９号公報
【特許文献２】特開２００５−７０３９２号公報
【非特許文献１】「MCPC TR−006 Ver.1.0 MCPC BT Watch for Mobile Phone Technical Reference」、[online]、平成17年9月8日、モバイルコンピューティング推進コンソーシアム、[平成19年10月5日検索]、インターネット（URL：http://www.mcpc-jp.org/news/pdf/tr006v1j.pdf）
【非特許文献２】「BASIC IMAGING PROFILE Interoperability Specification」、BLUETOOTH(TM) Documentation、2003-07-25 、BIP_SP_D10_r01
【発明の開示】
【発明が解決しようとする課題】
【０００４】
上述のように、非特許文献１には、携帯電話と腕時計とをブルートゥースで接続して各種の機能を実現させることが規定されているが、携帯電話に搭載されているカメラを制御する機能については記載されていない。
また、特許文献１に記載されたものは、専用のリモコン装置を用いてカメラ付き携帯電話のカメラを遠隔制御するものであり、特許文献２に記載されたものは、デジタルカメラを腕時計で制御するものであった。
非特許文献２に記載されたものは、カメラ付き携帯電話や腕時計型端末装置といった特定の機器に関するものではなかった。
カメラ付き携帯電話に搭載されたカメラを腕時計型端末装置から制御しようとするときには、カメラ付き携帯電話の動作モードと腕時計型端末装置の動作モードを、ともにカメラを遠隔制御するモードに変更することが必要である。
【０００５】
そこで本発明は、カメラ付き携帯電話装置を腕時計型端末装置を用いて煩雑な操作をすることなく容易に遠隔制御することができる携帯電話装置及び腕時計型端末装置からなるシステム、携帯電話装置及び腕時計型端末装置を提供することを目的としている。
【課題を解決するための手段】
【０００６】
上記目的を達成するために、本発明の携帯電話装置と腕時計型端末装置とからなるシステムは、携帯電話装置と腕時計型端末装置とからなるシステムであって、前記携帯電話装置は、第１の制御部と、前記腕時計型端末装置と通信できる第１の近距離無線通信部と、カメラとを有し、前記第１の制御部は、前記カメラによる撮影モードが起動された後に、前記カメラを外部から受信されたコマンドにより制御するリモートシャッター機能が起動されたときに、前記腕時計型端末装置に対して、リモートシャッターモードを開始させるコマンドを前記第１の近距離無線通信部を介して送信する機能と、前記リモートシャッター機能が起動されている場合に、前記腕時計型端末装置から前記第１の近距離無線通信部を介してモニター画像の取得を要求するコマンドを受信したときに、前記カメラに撮像されている画像データを前記腕時計型端末装置に送信する機能と、前記リモートシャッター機能が起動されている場合に、前記腕時計型端末装置から前記第１の近距離無線通信部を介してシャッターの押下を指示するコマンドを受信したときに、前記カメラによる撮影を実行させる機能と、前記カメラによる撮影モードが終了されたときに、前記腕時計型端末装置に対して、リモートシャッターモードを終了させるコマンドを前記第１の近距離無線通信部を介して送信する機能を有するものであり、前記腕時計型端末装置は、第２の制御部と、前記携帯電話装置と通信できる第２の近距離無線通信部と、時計回路と、表示部と、操作ボタンとを有し、前記第２の制御部は、前記携帯電話装置から、前記第２の近距離無線通信部を介して前記リモートシャッターモードを開始させるコマンドを受信したときに、リモートシャッターモードを開始させる機能と、リモートシャッターモードにおいて、前記第２の近距離無線通信部を介して前記携帯電話装置に対しモニター画像の取得を要求するコマンドを送信する機能と、前記モニター画像の取得を要求するコマンドに応じて前記携帯電話装置から受信した画像データを前記表示部に表示する機能と、リモートシャッターモードにおいて、所定の操作ボタンの操作に応じて、前記携帯電話装置に対してシャッターの押下を指示するコマンドを前記第２の近距離無線通信部を介して送信する機能と、前記携帯電話装置から、前記第２の近距離無線通信部を介して前記リモートシャッターモードを終了させるコマンドを受信したときに、リモートシャッターモードを終了させる機能とを有するものである。
また、前記腕時計型端末装置の前記第２の制御部は、前記リモートシャッターモードにおいて、前記操作ボタンが操作されない状態が所定時間継続したときに、前記リモートシャッターモードを終了させる機能を有するものである。
さらに、本発明の携帯電話装置は、上記システムにおける携帯電話装置であり、さらにまた、本発明の腕時計型端末装置は、上記システムにおける腕時計型端末装置である。
【発明の効果】
【０００７】
このような本発明の携帯電話装置及び腕時計型端末装置からなるシステム、携帯電話装置及び腕時計型端末装置によれば、カメラ付き携帯電話の動作モードをリモートシャッター機能を用いるモードに変更するだけで、腕時計型端末装置の動作モードが自動的にカメラを制御するモードに変更され、カメラ付き携帯電話のカメラの動作を終了させるのみで、腕時計型端末装置のリモートシャッターモードが終了されるので、携帯電話側の操作のみで、腕時計型端末装置の動作モードも制御することができ、煩雑な操作が不要となり、容易にカメラ付き携帯電話のカメラを遠隔制御することが可能となる。
【発明を実施するための最良の形態】
【０００８】
図１は、本発明の携帯電話装置及び腕時計型端末装置からなるシステムの構成を示す図である。
この図において、１はカメラ付き携帯電話（ＡＧ）、２は腕時計型端末装置（ＢＴＷ）であり、ＡＧ１は携帯電話網３に接続するとともに、ブルートゥースによりＢＴＷ２と接続されている。
そして、ＡＧ１は、電話着信、メール着信などが発生したときに、そのことをブルートゥースを介してＢＴＷ２に通知し、ＢＴＷ２は表示部や振動モータなどを用いて、そのことをユーザに報知する。ユーザは、ＢＴＷ２の操作ボタンを操作することにより応答保留、着信拒否などの操作を行い、ブルートゥースを介して、ＡＧ１に伝送する。このように、ユーザはＢＴＷ２を操作することによりＡＧ１を制御することができる。また、ＢＴＷ２の操作ボタンを操作することにより、ＡＧ１のサイレントモードのオン／オフなどの設定を行うこともできる。さらに、ＢＴＷ２の操作ボタンを押下することにより、ＡＧ１に搭載されているカメラのシャッターを遠隔操作（リモートシャッター）することもできる。
【０００９】
図２の（ａ）は、携帯電話（ＡＧ）１の構成例を示すブロック図であり、（ｂ）は腕時計型端末装置（ＢＴＷ）２の構成例を示すブロック図である。
図２の（ａ）において、１１はこの携帯電話（ＡＧ）１の全体の制御を行う制御部、１２は携帯電話システムの基地局と通信するための無線通信部、１３は送話マイクロフォン１４と受話スピーカ１５に接続され音声信号処理を行う信号処理部、１６は表示部、１７はキー入力部、１８はＢＴＷ２と通信するためのブルートゥース通信部、１９はカメラである。
ＡＧ１は、前記無線通信部１２、信号処理部１３、マイクロフォン１４及びスピーカ１５を用いて携帯電話としての機能を実行する。また、前記カメラ１９を用いて写真を撮影し、該撮影した画像データを図示しない記憶部に記憶したり、無線通信部１２を介して他の携帯電話などに転送することができる。
【００１０】
図２の（ｂ）において、２１はこの腕時計型端末装置（ＢＴＷ）２全体の制御を行う制御部、２２は前記ＡＧ１と通信するためのブルートゥース通信部、２３は時刻表示、各種メッセージ表示及び撮影される画像のモニター表示などを行う表示部、２４は操作ボタンなどの操作部、２５は時計回路、２６は振動を発生させるための振動モータである。
ＢＴＷ２は、通常時は表示部２３に時計回路２５で計時されている時刻を表示している。また、ブルートゥース通信部２２を介してＡＧ１から電話やメールの着信通知を受信したときには、振動モータ２６を動作させたり、表示部２３にその旨のメッセージを表示することにより、ユーザに報知する。そして、ユーザにより応答保留や着信拒否を指示する操作ボタンが操作されたときには、そのコマンドを前記ブルートゥース通信部２２を介してＡＧ１に送信する。これにより、ユーザは、ＢＴＷ２を操作するのみで、応答保留や着信拒否を行うことができる。また、制御部２１は、操作部２４による操作に応じたコマンド（サイレントモードのオン／オフなど）をブルートゥース通信部２２を介してＡＧ１に送信し、ＡＧ１の設定を制御することができる。さらに、リモートシャッターモードとされたときには、操作部２４の操作ボタンの操作に対応したコマンドをブルートゥース通信部２２を介してＡＧ１に送信し、ＡＧ１に内蔵されているカメラ１９を遠隔制御することができる。
【００１１】
以下、ＢＴＷ２を操作することによりＡＧ１に搭載されているカメラ１９を遠隔操作する動作について詳細に説明する。
図３は、携帯電話（ＡＧ）１と腕時計型端末装置（ＢＴＷ）２の動作が開始されてから、サービスレベルコネクションが確立されるまでを示すシーケンス図である。
携帯電話（ＡＧ）１と腕時計型端末（ＢＴＷ）２が動作を開始すると、周知のように、ＡＧ１のブルートゥース通信部１８とＢＴＷ２のブルートゥース通信部２２との間でベースバンドＡＣＬリンクが確立され、ＳＤＰ（Service Discovery Protocol）を用いてＬＡＮアクセスサービスの詳細情報がやり取りされ、サービス情報を用いてＬ２ＣＡＰ（Logical Link Control and Adaptation Protocol）チャネルが確立され、さらにサービス情報を用いてＬ２ＣＡＰ上にＲＦ２３２Ｃによるシリアル通信をエミュレートするＲＦＣＯＭＭコネクションが確立される。
【００１２】
ＲＦＣＯＭＭコネクションが確立された後、図中に破線で囲んだサービスレベルコネクションの初期化手順が実行される。
最初に、ＢＴＷ２は、ＡＴコマンド「AT+BRSF=<HF Supported feature>」をＡＧ１に送信する。このコマンドは、ハンズフリーユニット（この場合は、ＢＴＷ２）でサポートされている機能を通知するとともに、ＡＧ１でサポートされている機能を要求するコマンドである。ＡＧ１は、該コマンドを受信すると、自分がサポートしている機能をコマンド「+BRSF=<AG Supported feature>」でＢＴＷ２に通知し、続いて結果コード「ＯＫ」を返す。
次に、ＢＴＷ２はＡＴコマンド「AT+BTWRSF=<BTW Supported feature>」を送信して、前記非特許文献１により規定されている機能のうちこのＢＴＷ２でサポートされている機能をパラメータ<BTW Supported feature>を用いて通知し、ＡＧ１はＡＧ１でサポートされている機能をコマンド「+BTWRSF=<BTW Supported feature>」で通知するとともに、結果コード「ＯＫ」を返す。
次に、ＢＴＷ２はＡＴコマンド「AT+BTWRSEF=<BTW Supported Extended feature>」を送信して、ＢＴＷ２でサポートされている拡張機能をパラメータ<BTW Supported Extended feature>を用いてＡＧ１に通知し、ＡＧ１はＡＧ１でサポートされている拡張機能をコマンド「+BTWRSEF=<BTW Supported Extended feature>」で通知するとともに、結果コード「ＯＫ」を返す。
次に、ＢＴＷ２はＡＧ１にＡＴコマンド「AT+BTRCF=<BTW Supported Extended feature>」を送信して、ＢＴＷ２がリモートカメラ機能（Remote Camera Feature）をサポートしていることをパラメータ<BTW Supported Extended feature>を用いて通知するとともにＡＧ１がリモートカメラ機能をサポートしているか否かを問い合わせ、ＡＧ１はリモートカメラ機能をサポートしているか否かをコマンド「+BTRCF=<BTW Supported Extended feature>」で通知するとともに、結果コード「ＯＫ」を返す。
以下では、これらのコマンドにより、ＡＧ１とＢＴＷ２がともに本発明によるカメラの制御機能及びリモートカメラ機能をサポートしていることが確認されたものとして説明する。
さらに、ＢＴＷ２は、ＡＧ１の状態に関する情報を要求するＡＴコマンドなどの各種のＡＴコマンドをＡＧ１に送信し、ＡＧ１はそれらのコマンドに対する応答を返す。
このようにして、図３の破線で囲まれた手順が実行され、サービスレベルコネクションが確立する。
【００１３】
次に、腕時計型端末（ＢＴＷ）２の操作ボタンを操作することにより携帯電話（ＡＧ）１のカメラ１９の撮影を行う（リモートシャッター）ときの動作について説明する。
図４は、リモートシャッター動作の基本的なシーケンスを示す図である。
前述のようにして、サービスレベルコネクションが確立された状態にあるものとする。
ＡＧ１において、ユーザにより、カメラによる撮影モードが起動され、続いて、リモートシャッター機能が起動されたとする。なお、リモートシャッター機能を起動しないときは、従来と同様に、ＡＧ１の操作ボタンを操作することでカメラ１９の制御を行うことができる。
リモートシャッター機能が起動されたとき、ＡＧ１は、ＢＴＷ２に対し、前記ブルートゥース通信部１８を介して、リモートシャッターモードを開始させるコマンド「+BTWRMS:1」を送信する。
ＢＴＷ２は、このコマンド「+BTWRMS:1」を受信すると、リモートシャッターモードを開始する。ＢＴＷ２は、通常は、表示部２３に時計回路２５で計時されている時刻を表示する時刻表示モードにあるが、前記コマンド「+BTWRMS:1」を受信すると、リモートシャッターモードに移行する。これにより、ＢＴＷ２における操作部２４中のいくつかの操作ボタンは、カメラ１９を操作するための操作ボタン（シャッターボタンやオートフォーカスボタン）として動作するように制御される。また、表示部２３には、ＡＧ１のカメラ１９に撮像されている画像（スルー画像）が表示され、ユーザは、表示部２３に表示されている画像を確認してシャッターボタンを操作することができる。
このリモートシャッターモードにおいて、ユーザがＢＴＷ２の操作部２４におけるオートフォーカスに割り当てられた操作ボタンを操作すると、オートフォーカスを実行するＡＴコマンド「AT+BTWAF」がブルートゥース通信部２２を介してＡＧ１に送信され、これを受信した制御部１１により、ＡＧ１のカメラ１９のフォーカスロックが行われる。そして、ＡＧ１からＢＴＷ２にＯＫの応答が返される。なお、このオートフォーカスの制御を実施するか否かは任意である。
【００１４】
ＢＴＷ２は、リモートシャッターモードにおいて、ＡＧ１に対し、ブルートゥース通信部２２を介して、カメラ１９で撮像されている画像データの取得を要求するＡＴコマンド「AT+GetMonitoringImage」を送信する。これを受けて、ＡＧ１は、ＢＴＷ２に対し、ブルートゥース通信部１８を介して、そのカメラ１９で撮像されている画像（スルー画像）の画像データをコマンド「Success(MonitoringImage)」を用いて送信する。ＢＴＷ２は、「Success(MonitoringImage)」によりＡＧ１から受信した画像データを表示部２３に表示する。これにより表示部２３にモニター画像が表示され、ユーザは、該表示部２３をみることにより、所望の画像を撮影することができる。このＢＴＷ２からの「AT+GetMonitoringImage」の送信とＡＧ１からの「Success(MonitoringImage)」の応答は、繰り返し実行される。
なお、ここでは、ユーザによる操作ボタンの操作を待つことなく、ＢＴＷ２が自動的に「AT+GetMonitoringImage」コマンドを繰り返し送信するものとしたが、ユーザによるボタン操作などを契機として「AT+GetMonitoringImage」を送信するようにしても良い。
【００１５】
そして、ユーザが、ＢＴＷ２の操作部２４におけるシャッターボタンとして割り当てられた操作ボタンを操作すると、これに応じて、シャッター押下を指示するＡＴコマンド「AT+BTWSHUT」がＡＧ１に送信される。ＡＧ１の制御部１１は、このコマンド「AT+BTWSHUT」を受信すると、カメラ１９にシャッターを押下する制御信号を供給して撮影動作を行わせる。撮影された画像データはＡＧ１内の記憶部に自動保存される。そして、ＡＧ１からＢＴＷ２に応答ＯＫが返される。
次いで、前述のように、ＢＴＷ２の表示部２３にカメラ１９のモニター画像が表示され、ユーザは、シャッターボタンの操作を繰り返すことにより、所望の枚数の写真を撮影することができる。
ＡＧ１において、カメラによる撮影モードが終了されると、ＡＧ１のリモートシャッター機能が終了されるとともに、ＢＴＷ２のリモートシャッターモードを終了させるコマンド「+BTWRMS:0」がＢＴＷ２に送られる。これに応じて、ＢＴＷ２におけるリモートシャッターモードが終了され、時刻表示モードに戻る。
このように、ＡＧ１のカメラを起動し、リモートシャッター機能を起動させることにより、自動的にＢＴＷ２がリモートシャッターモードに移行し、ＡＧ１のカメラを使用する撮影モードを終了すると、自動的にＢＴＷ２はリモートシャッターモードを終了するため、ユーザはＡＧ１を操作するのみで、ＢＴＷ２を操作する必要がない。
【００１６】
図５は、リモートシャッターモードが開始されたＢＴＷ２において、前記操作部２４の操作ボタンが操作されない状態が所定時間以上（例えば、１２０秒）継続したときなどの動作を示すシーケンス図である。
前述のように、ＡＧ１からリモートシャッターモード開始を指示するコマンド「+BTWRMS:1」が送信されて、ＢＴＷ２がリモートシャッターモードとなり、ＢＴＷ２の表示部２３にモニター画像が表示され、ユーザがシャッターボタンに対応する操作ボタンを操作することにより、前述と同様に、ＡＴコマンド「AT+BTWSHUT」がＡＧ１に送信され、カメラ１９で撮影が行われ、ＡＧ１からＢＴＷ２にＯＫ応答が返される。
ここで、前記シャッターボタンに対応する操作ボタンが操作された後、何の操作も行われない状態が所定時間（例えば、１２０秒）以上継続したときには、ＢＴＷ２はその状態を検出し、リモートシャッターモードを終了する。すなわち、ＢＴＷ２には、操作ボタンが操作されてからの経過時間を計測するタイマー装置が設けられており、操作ボタンが操作されることなく設定されている所定時間が経過したときに、ＡＧ１からのコマンドによることなく、リモートシャッターモードを終了し、時刻表示モードに戻る。また、ＢＴＷ２の操作部２４の操作ボタンを操作することにより、リモートシャッターモードを終了させることができるようにしてもよい。
このように、ＢＴＷ２は所定時間以上無操作の状態が続いたときには、自動的に時刻表示モードに戻るようになされている。
その後、ＡＧ１におけるカメラの撮影モードが終了され、ＡＧ１からシャッターモードの終了を指示するコマンド「+BTWRMS:0」を受信しても、ＢＴＷ２は、すでにリモートシャッターモードが終了されているため、このコマンドは無視される。
【００１７】
なお、上記においては、カメラ付き携帯電話と腕時計型端末装置がブルートゥースを使用して通信する実施の形態について説明したが、カメラ付き携帯電話と腕時計型端末装置がブルートゥース以外の近接無線通信方式により通信する場合にも同様に適用することが可能である。
【図面の簡単な説明】
【００１８】
【図１】本発明の携帯電話装置及び腕時計型端末装置からなるシステムの構成を示す図である。
【図２】（ａ）は携帯電話ＡＧ１の構成例を示すブロック図、（ｂ）は腕時計型端末装置ＢＴＷ２の構成例を示すブロック図である。
【図３】サービスレベルコネクションの確立に関するシーケンス図である。
【図４】リモートシャッター動作の基本的なシーケンスを示す図である。
【図５】ＢＴＷ２からのリモートシャッターモードの終了に関するシーケンス図である。
【符号の説明】
【００１９】
１：携帯電話（ＡＧ）、２：腕時計型端末装置（ＢＴＷ）、３：携帯電話網、１１；制御部、１２：無線通信部、１３：信号処理部、１４：送話マイクロフォン、１５：受話スピーカ、１６：表示部、１７：キー入力部、１８：ブルートゥース通信部、１９：カメラ、２１：制御部、２２：ブルートゥース通信部、２３：表示部、２４：操作部、２５：時計回路、２６：振動モータ
【図１】
2009118474.tif 000003
【図２】
2009118474.tif 000004
【図３】
2009118474.tif 000005
【図４】
2009118474.tif 000006
【図５】
2009118474.tif 000007